(57)【要約】【課題】多量の切削氷粉末を手間をかけずに製造が可能で、騒音の小さい氷削機を提供することを解決すべき課題とする。【解決手段】切削刃を臨ませたスリットが設けられた氷削室と、該氷削室内に投入された氷を回転させるための回転翼と、該回転翼を回転させるモータ機構と、該氷を該氷削室内に貯留して該回転翼とともに同軸で回転する回転ホッパーと、該回転ホッパーの上方に設けられ、下端及び上端に開口を有する氷ストッカーとを備えている。回転ホッパーは上方に向かって小径とされており、氷ストッカーは前記回転翼及び前記回転ホッパーとともに同軸で回転する。【選択図】          図１
2008004355.tif 000002
【特許請求の範囲】
【請求項１】
切削刃を臨ませたスリットが設けられた氷削室と、該氷削室内に投入された氷を回転させるための回転翼と、該回転翼を回転させるモータ機構と、該氷を該氷削室内に貯留して該回転翼とともに同軸で回転する回転ホッパーと、該回転ホッパーの上方に設けられ、下端及び上端に開口を有する氷ストッカーとを備えており、該回転ホッパーは上方に向かって小径とされた氷削機において、
前記氷ストッカーは前記回転翼及び前記回転ホッパーとともに同軸で回転することを特徴とする氷削機。
【請求項２】
氷ストッカーは下端の開口に向かって小径となるテーパ部が設けられていることを特徴とする請求項１記載の氷削機。
【請求項３】
氷ストッカーの上端の開口の径は、該氷ストッカーの最大内径の２/３以下とされていることを特徴とする請求項１又は２記載の氷削機。
【請求項４】
氷ストッカーの内壁には内方に突出する凸部が設けられていることを特徴とする請求項１記載の氷削機。
【請求項５】
氷ストッカーの全部又は一部は透明な部材からなることを特徴とする請求項１記載の氷削機。
【請求項６】
回転ホッパー及び／又は氷ストッカーの周囲は防音部材によって囲まれていることを特徴とする請求項１記載の氷削機。
【請求項７】
防振部材によって支えられていることを特徴とする請求項１記載の氷削機。
【請求項８】
防振部材は最下端に取付けられていることを特徴とする請求項７記載の氷削機。
【請求項９】
切削刃を臨ませたスリットが設けられた氷削室と、該氷削室内に投入された氷を回転させるための回転翼と、該回転翼を回転させるモータ機構と、該氷を該氷削室内に貯留して該回転翼とともに同軸で回転する回転ホッパーと、該回転ホッパーの上方に設けられ、下端及び上端に開口を有する氷ストッカーとを備えた氷削機において、
前記回転ホッパーは上方に向かって小径とされた第1テーパ部と、該第1テーパ部の上端に接続され上方に向かって大径とされた第2テーパ部とを有することを特徴とする氷削機。
【請求項１０】
第2テーパ部の内側面は水平面に対して１５°〜４５°の角度とされていることを特徴とする請求項９記載の氷削機。
【請求項１１】
第1テーパ部と第2テーパ部との接続部分にはさらに径が絞られた小径穴が設けられていることを特徴とする請求項９又は１０記載の氷削機。
【請求項１２】
氷ストッカーの上端の開口の径は、該氷ストッカーの最大内径の２/３以下とされていることを特徴とする請求項９記載の氷削機。
【請求項１３】
氷ストッカーの全部又は一部は透明な部材からなることを特徴とする請求項９記載の氷削機。
【請求項１４】
回転ホッパー及び／又は氷ストッカーの周囲は防音部材によって囲まれていることを特徴とする請求項９記載の氷削機。
【発明の詳細な説明】
【技術分野】
【０００１】
本発明は低騒音型の氷削機に関する。
【背景技術】
【０００２】
従来、小さい氷の塊から切削氷粉末を作る氷削機として、図５に示すように、切削刃１０１を臨ませたスリット１０２が設けられた氷削室１０３と、回転翼１０４とともに同軸で回転する筒状の回転ホッパー１０５とが設けられた氷削機が知られている（特許文献１）。【０００３】
この氷削機では、モータ機構１０６によって回転ホッパー１０５が回転翼１０４とともに回転し、回転ホッパー１０５内に投入されたキュービック状の氷１０７が回転翼１０４及び回転ホッパー１０５とともに回転する。これにより、氷１０７は遠心力によって切削刃１０１に押し当てられながら切削され、氷出口カバー１０８から切削氷粉末が放出される。また、回転ホッパー１０５は、上方に向かって小径とされた筒形状となっているため、回転ホッパー１０５とともに回転する氷は回転ホッパー１０５の内壁に遠心力で押し付けられて下向きの力を受ける。このため、切削刃１０１によって削られた分だけ回転ホッパー１０５内の氷が下方に下がり、絶え間なく切削刃１０１による切削が行われ、回転ホッパー１０５内に投入された氷の全てを切削することができる。【０００４】
しかし、上記の氷削機では、回転ホッパー１０５内の氷が削り尽されて無くなるたびに、回転ホッパー１０５の回転を止めて氷を補給しなくてはならず、手間がかかる。【０００５】
このような問題点を解決した氷削機として、図６に示すように、回転ホッパー１０５の上方に氷ストッカー１０９を設けた氷削機も知られている。この氷削機によれば、氷ストッカー１０９内に多量の氷を貯留することができる。そして、回転ホッパー１０５内の氷が削られた分だけ、氷ストッカー１０９の底部に設けられた開口１０９ａから回転ホッパー１０５内に氷が補充される。このため、氷ストッカー１０９内に氷を貯留しておくことにより、多量の切削氷粉末をそれほどの手間をかけずに製造することができる。【０００６】
なお、本発明の氷削機に関連する技術として特許文献２の氷削機も知られている。【０００７】
【特許文献１】特開昭６２−２９６８４３号公報
【特許文献２】特開昭６３−２４８３４９号公報
【発明の開示】
【０００８】
しかし、上記従来の氷ストッカー付の氷削機では、切削氷粉末を製造する際に大きな騒音が生ずるため、問題となっていた。
【０００９】
本発明は、上記従来の問題点を解決するためになされたもので、多量の切削氷粉末を手間をかけずに製造が可能で、騒音の小さい氷削機を提供することを解決すべき課題とする。
【００１０】
−第１発明−
発明者らは、上記従来の氷ストッカー付の氷削機が大きな騒音を発する原因について、検討を行った。その結果、氷ストッカー内の氷と、回転ホッパー内の氷とがぶつかり合うことによって騒音が発生することを突き止めた。すなわち、図６に示す従来の氷ストッカー付の氷削機では、回転ホッパー１０５内の氷は回転翼１０４及び回転ホッパー１０５とともに回転するのに対し、氷ストッカー１０９内の氷は静止している。このため、氷を切削する際、停止している氷ストッカー１０９内の氷と、回転している回転ホッパー１０５内の氷とが激しくぶつかり合い、これによって大きな騒音が発生するのである。そして、この氷どうしの衝突を避ける方法について鋭意検討した結果、氷ストッカーも回転ホッパーとともに同軸で回転させれば、氷どうしの衝突を回避できることを見出し、第１発明を完成するに至った。
【００１１】
すなわち、第１発明の氷削機は、切削刃を臨ませたスリットが設けられた氷削室と、該氷削室内に投入された氷を回転させるための回転翼と、該回転翼を回転させるモータ機構と、該氷を該氷削室内に貯留して該回転翼とともに同軸で回転する回転ホッパーと、該回転ホッパーの上方に設けられ、下端及び上端に開口を有する氷ストッカーとを備えており、該回転ホッパーは上方に向かって小径とされた氷削機において、
前記氷ストッカーは前記回転翼及び前記回転ホッパーとともに同軸で回転することを特徴とする。
【００１２】
第１発明の氷削機では、モータ機構によって回転ホッパーが回転翼とともに回転する。そして、回転ホッパー内の氷が回転翼及び回転ホッパーとともに回転する。これにより、氷は遠心力によって切削刃に押し当てられながら切削され、氷出口カバーから切削氷粉末が放出される。また、回転ホッパーは上方に向かって小径とされているため、回転ホッパーとともに回転する氷は、回転ホッパーの内壁に遠心力で押し付けられて下向きの力を受ける。このため、切削刃によって削られた分だけ回転ホッパー内の氷が下方に下がり、回転ホッパー内に投入された氷の全てを切削することができる。
【００１３】
また、回転ホッパーの上方には氷ストッカーが設けられているため、氷を貯留することができる。しかも、この氷ストッカーは、回転翼及び回転ホッパーとともに同軸で回転するため、氷ストッカー内の氷と回転ホッパー内の氷とが擦れあって大きな騒音が発生するということがない。さらには、回転ホッパー内の氷が無くなった場合、モータ機構の駆動を停止して回転ホッパーの回転を止めれば、氷ストッカー内に貯留されていた氷が下端の開口から回転ホッパー内に自動的に供給される。
【００１４】
したがって、第1発明の氷削機によれば、多量の切削氷粉末を手間をかけずに製造が可能で、騒音も小さくなる。
【００１５】
氷ストッカーは下端の開口に向かって小径となるテーパ部が設けられていることが好ましい。こうであれば、氷ストッカーが停止したときに、氷ストッカーの内部の氷がテーパ部の斜面を滑り落ち、自動的に氷が回転ホッパー内に供給される。また、上方に向かって大径とされるので、貯留量も大きくなる。
【００１６】
氷ストッカーの上端の開口の径は、該氷ストッカーの最大内径の２/３以下とされていることが好ましい。氷ストッカーの上端の開口の径が氷ストッカーの最大内径の２/３より大きいと、氷ストッカー内の貯留されている氷が、回転時に開口から外部に飛び出す危険性があるからである。特に、氷ストッカーの下端が下方に向かって小径となるテーパ部が設けられている場合には、テーパ部の斜面上に存在する氷が遠心力及びテーパ部の斜面から圧力により、テーパ部の斜面を登る向きの力を受けるため、氷ストッカーの上端の開口から飛び出しやすくなるため、好適である。テーパの斜面の水平面に対する角度は３０°〜６０°とすることが好ましい。３０°未満であると、氷が滑り落ち難くなり、６０°を超えると、貯留量が小さくなる。
【００１７】
氷ストッカーの内壁には内方に突出する凸部が設けられていることが好ましい。こうであれば、氷ストッカーが回転し始めたときに、氷ストッカー内に貯留されている氷が滑ることが凸部によって防止される。このため、氷の滑りによる騒音の発生が抑えられ、さらに低騒音の氷削機となる。
【００１８】
氷ストッカーの全部又は一部は透明な部材からなることが好ましい。こうであれば、氷ストッカー内部の氷の貯留量を外部から視認することができる。
【００１９】
回転ホッパー及び／又は氷ストッカーの周囲は防音部材によって囲まれていることが好ましい。こうすることにより、さらに騒音の小さい氷削機とすることができる。
【００２０】
第１発明の氷削機は防振部材によって支えられていることも好ましい。こうであれば、氷削機の駆動時における振動を低減することができる。防振部材としては特に限定はなく、コイルバネや板バネや防振ゴム等を用いることができる。また、防振部材の取付位置については、氷削機の上部や中間部や下端のどこに取り付けても、防振効果を奏するが、特に氷削機の最下端に取付けた場合には、防振効果が顕著となり特に好ましい。発明者らの試験結果によれば、防振部材は氷削機の最下端に取付けられた場合に、最も高い防振効果が得られる。また、防振部材は回転軸から描かれた円周上に均等割で設置することが、さらに好ましい。
【００２１】
−第２発明−
また、発明者らは、図６に示すような、従来の氷ストッカー付の氷削機について、氷を切削する際、停止している氷ストッカー１０９内の氷と、回転している回転ホッパー１０５内の氷とが激しくぶつかり合うのを避ける方法について、さらに鋭意研究を重ねた。その結果、回転ホッパーにおける上方に向かって小径とされた第１のテーパ部の上端に、上方に向かって大径とされた第2のテーパ部を接続させれば、氷どうしの衝突を避けることができ、騒音を著しく低減できることを見出し、第２発明を完成するに至った。
【００２２】
すなわち、第２発明の氷削機は、切削刃を臨ませたスリットが設けられた氷削室と、該氷削室内に投入された氷を回転させるための回転翼と、該回転翼を回転させるモータ機構と、該氷を該氷削室内に貯留して該回転翼とともに同軸で回転する回転ホッパーと、該回転ホッパーの上方に設けられ、下端及び上端に開口を有する氷ストッカーとを備えた氷削機において、
前記回転ホッパーは上方に向かって小径とされた第1テーパ部と、該第1テーパ部の上端に接続され上方に向かって大径とされた第2テーパ部とを有することを特徴とする。
【００２３】
第２発明の氷削機では、モータ機構によって回転ホッパーが回転翼とともに回転する。そして、回転ホッパー内の氷が回転翼及び回転ホッパーとともに回転する。これにより、氷は遠心力によって切削刃に押し当てられながら切削され、氷出口カバーから切削氷粉末が放出される。
【００２４】
また、回転ホッパーの第1テーパ部は上方に向かって小径とされているため、第1テーパ部内の氷は遠心力によって第1テーパ部の内側面に押し当てられ、下向きの力を受ける。このため、切削刃によって削られた分だけ第1テーパ部内の氷が下方に下がり、次々と切削される。
一方、回転ホッパーの第２テーパ部は上方に向かって大径とされているため、第２テーパ部内の氷は遠心力によって第２テーパ部の内側面に押し当てられて上向きの力を受け、第2テーパ部の内側面を登ることとなる。
すなわち、回転ホッパーを回転させた場合、第1テーパ部内の氷は下方へ移動し、第2テーパ部内の氷は上方へ移動することとなり、互いに上下に分離するために干渉が避けられ、ぶつかり合って騒音を発することがない。しかも、回転ホッパーは回転翼と同軸で回転するため、第1テーパ部内の氷及び第2テーパ部内の氷は回転ホッパーと共に連れ回り、氷どうしの激しいぶつかり合いは発生しない。さらには、氷ストッカー内部の氷も第2テーパ部内の氷の回転とともに、氷ストッカー内側面を滑りながら連れ回るため、大きな騒音を発することがない。したがって、本発明の氷削機は極めて低騒音型の氷削機となる。
【００２５】
また、回転ホッパーの上方には氷ストッカーが設けられているため、多量の氷を貯留することができる。しかも、回転ホッパー内の氷が切削されつくして無くなった場合、モータ機構の駆動を停止して回転ホッパーの回転を止めれば、第2テーパ部内の氷は遠心力を失い、下方に落下して第1テーパ部内に自動的に投入される。さらには、氷ストッカー内に貯留されていた氷が第２テーパ部内に自動的に供給される。このため、本発明の氷削機によれば、多量の切削氷粉末を手間をかけずに製造が可能となる。
【００２６】
第2テーパ部の内側面は水平面に対して１５°〜４５°の角度とされていることが好ましい。第2テーパ部の内側面は水平面に対して１５°よりも小さい場合には、回転ホッパーの回転が停止した場合でも、第２テーパ部内の氷が落下し難くなり、第1テーパ部への氷の自動的な供給が滞るおそれがある。一方、第2テーパ部の内側面は水平面に対して４５°よりも大きい場合には、氷ストッカーにおいて所定の量の氷のストックを可能とするためには、第2テーパ部の高さを高めなくてはならず、氷削機の高さが高くなり、設置スペースがおおきくなってしまう。
【００２７】
また、第1テーパ部と第2テーパ部との接続部分にはさらに径が絞られた小径穴が設けられていることも好ましい。回転ホッパーの回転による遠心力により、第1テーパ部内の氷及び第2テーパ部内の氷は、ドーナツ状に分布しつつ上下に分離することとなる。第1テーパ部と第2テーパ部との接続部分において径が絞られた小径穴を設ければ、その径は回転ホッパーの回転によってドーナツ形状に分布した氷のドーナツの径よりも小さくなり易く、第1テーパ部内の氷及び第2テーパ部内の氷との干渉が生じ難くなり、騒音がより発生し難くなる。
【００２８】
また、氷ストッカーの上端の開口の径は、該氷ストッカーの最大内径の２/３以下とされていることが好ましい。氷ストッカーの上端の開口の径が氷ストッカーの最大内径の２/３より大きいと、氷ストッカー内の貯留されている氷が、回転時に開口から外部に飛び出す危険性があるからである。
【００２９】
氷ストッカーの全部又は一部は透明な部材からなることが好ましい。こうであれば、氷ストッカー内部の氷の貯留量を外部から視認することができる。
【００３０】
回転ホッパー及び／又は氷ストッカーの周囲は防音部材によって囲まれていることが好ましい。こうすることにより、さらに騒音の小さい氷削機とすることができる。
【００３１】
第１発明及び第２発明の氷削機は、スリットから放出される切削氷粉末を受ける受容器が設けられており、該受容器内の入れられたシロップ等に液状物を撹拌するとともに、該受容器内の切削氷粉末を微粒子化するミキシング機構が取付けられることによって、ジュース等の飲料に極めて微細な氷が混合されたソフトアイス飲料を製造する装置とすることもできる。この場合において、撹拌機構の動力は誘電式モータとすることが好ましい。誘導式モータは整流子を用いたモータよりも静かであるからである。
【００３２】
また、第１発明及び第２発明の氷削機において、氷削された氷を受ける受容器を氷削機にセットしない場合には、モータが駆動されないような安全停止機構が設けられていることも好ましい。こうであれば、受容器がセットされていない状態でモータが駆動し、切削氷粉末によって氷削機の周囲が水浸しになることを防ぐことができる。このような安全停止機構としては、例えば受容器を氷削機にセットした場合に、受容器がスイッチを押す構造とし、このスイッチが押されないとモータが駆動しないようにすることなどが挙げられる。また、受容器内の飲料を撹拌するための撹拌手段が設けられている場合には、氷削機のモータだけでなく、撹拌手段も駆動しない安全停止機構を設けることもできる。
【図面の簡単な説明】
【００３３】
【図１】実施例１の氷削機の断面図である。
【図２】実施例２の氷削機の断面図である。
【図３】実施例３の氷削機に係る回転ホッパー及び氷ストッカーの断面図である。
【図４】実施例４の氷削機に係る回転ホッパー及び氷ストッカーの断面図である。
【図５】回転ホッパーを用いた従来の氷削機の断面図である。
【図６】氷ストッカー付の回転ホッパーを用いた従来の氷削機の断面図である。
【符号の説明】
【００３４】
１０…切削刃
４ｃ…スリット
４氷削室
８…回転翼
６、７…モータ機構（６…モータ、７…減速機）
９…回転ホッパー
１１…氷ストッカー（回転氷ストッカー）
１２ａ…開口
１１ｂ…凸部
２…防振部材（スプリング）
３０…切削刃
２３ｃ…スリット
２３氷削室
２７…回転翼
２５、２６…モータ機構（５…モータ、６…減速機）
２７…回転ホッパー
３１…氷ストッカー
３１ａ…開口
２８ａ…第１テーパ部
２８ｂ、３８ｂ、４８ｂ…第２テーパ部
２８ｃ…小径穴
【発明を実施するための最良の形態】
【００３５】
以下、第１発明の氷削機を具体化した実施例１について図面を参照しつつ詳述する。
（実施例１）
実施例１の氷削機は、ソフトアイス飲料を製造するためのものであり、図１に示すように、基板１上に正方形の四隅の位置に防振部材としてのスプリング２が設けられており、スプリング２上には支柱３が立設されている。支柱3の上端には、すり鉢形状の氷削室４が固定されており、氷削室４の底には孔４ａが設けられ、ベアリング５が嵌合されている。氷削室４の下方には、モータ６及び減速機７が設けられており、減速機７の軸７ａがベアリング５に嵌合されている。軸７ａの先端には、氷削室４のテーパ面４ｂに沿って回転翼８が取付けられており、回転翼８の上端には上方に向かって小径とされる筒状の回転ホッパー９が固定されている。回転ホッパー９の外側には防水カバー９ａが設けられている。
また、氷削室４のテーパ面４ｂには傾斜方向にスリット４ｃが開けられており、切削刃１０の刃先がスリット４ｃから僅かに氷削室４内部側に突出するように、切削刃１０が氷削室４にねじ止めされている。また、スリット４ｃには氷出口カバー１７がテーパ面４ｂに対して垂直方向に突出して設けられている。氷出口カバー１７の下方には、受容器５０が載置台５１の上に載置されており、受容器５０の取手５０ａと反対側の側面には凸部５０ｂが設けられている。凸部５０ｂに対面する位置にはマイクロスイッチ５２が設けられており、受容器５０を載置台５１に載置した場合に、凸部５０ｂがマイクロスイッチ５２を押すように配置されている。マイクロスイッチ５２が押されていない状態では、モータ６への電気の供給が停止されるようになっている。【００３６】
回転ホッパー９の上端は、筒状の回転氷ストッカー１１の下端と溶接によって接合されおり、回転氷ストッカー１１の上端には開口１１ａが設けられている。開口１１ａの径は回転氷ストッカー１１の内径の１／２とされている。また、回転氷ストッカー１１の下部は下方に向かって小径となるテーパ形状とされており、テーパ面には内方に向かって突出する凸部１１ｂが傾斜方向に延在して設けられている。テーパ面の傾斜角は水平面に対して４５°とされている。
外郭は上部外装カバー１２と下部外装カバー１３とからなり、上部外装カバー１２の上端中央にはテーパ形状の投入口１２ａが設けられ、投入口蓋１４によって覆われている。【００３７】
次に、この氷削機の作用効果について説明する。
まず、投入口蓋１４を開け、キュービック状の氷を回転氷ストッカー１１が満たされるまで投入する。そして、投入口蓋１４を閉め、モータ６を駆動させ、回転翼８を回転ホッパー９とともに回転させる。これにより、回転ホッパー９内の氷は遠心力によって切削刃１０に押し当てられながら切削され、氷出口カバー１７から切削氷粉末が放出される。回転ホッパー９は上方に向かって小径とされているため、回転ホッパー９とともに回転する氷は回転ホッパー９の内壁に遠心力で押し付けられて下向きの力を受ける。このため、切削刃１０によって削られた分だけ回転ホッパー９内の氷が下方に下がり、回転ホッパー９内に投入された氷の全てが切削される。【００３８】
また、回転氷ストッカー１１は回転ホッパー９とともに回転するため、回転氷ストッカー１１内の氷も回転ホッパー９内の氷と同じように回転する。このため、回転氷ストッカー１１内の氷と、回転ホッパー９内の氷とがぶつかり合うことがなく、騒音はそれほど発生しない。また、回転開始時においても、回転氷ストッカー１１内の氷は凸部１１ｂによって滑りが阻止されるため、回転氷ストッカー１１内面と氷とが擦れあう騒音もほとんど発生しない。さらには、開口１１ａの径は回転氷ストッカー１１の内径の１／２と狭くされているため、回転氷ストッカー１１内に貯留されている氷が、回転時に開口から外部に飛び出すことはない。【００３９】
なお、回転氷ストッカー１１の下部は下方に向かって小径となっているため、回転氷ストッカー１１が回転中において、内部の氷は遠心力と回転氷ストッカー１１のテーパ部からの応力とによって上方へ持ち上げられる力を受け、回転中は回転氷ストッカー１１内の氷が回転ホッパー９内に供給されることはない。【００４０】
また、回転ホッパー９及び回転氷ストッカー１１を支えている支柱３は、防振部材であるスプリング２によって支えられているため、モータ６を駆動中においても、激しい振動を伴うことはない。また、スプリング２の取付位置は氷削機の最下端であり、回転軸から描かれた円周上に均等割で設置されているため、高い防振効果が得られる。【００４１】
必要量の切削氷粉末の製造が終了したら、モータ６の駆動を停止する。これにより、回転ホッパー９及び回転氷ストッカー１１の回転が停止し、回転氷ストッカー１１内の氷は重力によって回転ホッパー９内に供給される。このため、再びモータ６を駆動することによって、再度回転ホッパー９内の氷が切削氷粉末に削られるとなる。【００４２】
また、受容器５０を載置台５１に載せない限り、マイクロスイッチ５２は押されることがなく、モータ６への電気の供給は停止される。このため、受容器５０が載置台５１に載置されない状態で、切削氷粉末が氷削機周辺に撒き散らされることが防止される。【００４３】
以上のように、実施例の氷削機によれば、多量の切削氷粉末を手間をかけずに製造が可能で、騒音も小さくなる。【００４４】
なお、回転氷ストッカー１１及び上部外装カバー１２を内部観察が可能な透明なプラスチック製とすることもできる。こうであれば、回転氷ストッカー１１内部の氷の貯留量を外部から視認することができて、便利である。【００４５】
また、回転氷ストッカー１１と上部外装カバー１２との間や、防水カバー９ａと下部外装カバー１３との間に、防音材を設けることも好ましい。こうであれば、騒音をさらに軽減することができる。【００４６】
なお、実施例の氷削機に次のような技術的特長を有するソフトアイス飲料製造装置を氷出口カバー１７の下方に設けてもよい。
（１）氷削機から放出される切削氷粉末を受ける受容器と、該受容器内の入れられたシロップ等に液状物を撹拌するとともに、該受容器内の切削氷粉末を微粒子化する撹拌機構とが備えられたソフトアイス飲料製造装置。
この場合において、撹拌機構の動力は誘電式モータとすることが好ましい。誘導式モータは整流子を用いたモータと比較して、より静かだからである。【００４７】
次に、第２発明の氷削機を具体化した実施例２〜実施例４について図面を参照しつつ詳述する。
（実施例２)
実施例２の氷削機も、ソフトアイス飲料を製造するためのものであり、図２に示すように、正方形の基板２１上の四隅に支柱２２が立設されており、支柱２２の上端には、すり鉢形状の氷削室２３が固定されている。氷削室２３の底部中央には孔２３ａが設けられ、ベアリング２４が嵌合されている。また、氷削室２３の下方には、モータ２５及び減速機２６が設けられており、減速機２６の軸２６ａがベアリング２４に嵌合されている。軸２６ａの先端は、氷削室２３のテーパ面２３ｂに沿うように回転翼２７が取付けられており、回転翼２７の上端には回転ホッパー２８が固定され、回転翼２７とともに回転可能とされている。【００４８】
回転ホッパー２８は、上方に向かって小径とされる筒状の第1テーパ部２８ａと、第1テーパ部２８ａの上端に接続され上方に向かって大径とされた第2テーパ部２８ｂとから構成されており、第2テーパ部の内側面は水平面に対して３０°の角度とされている。第１テーパ部２８ａと第２テーパ部２８ｂの接合部分には、径が絞られた小径穴２８ｃが形成されており、第２テーパ部２８ｂの上端は開放されている。【００４９】
回転ホッパー２８の外側には回転ホッパー２８の上端周縁と僅かな隙間を介して、円筒状の氷ストッカー３１が被せられている。氷ストッカー３１の上端には開口３１ａが設けられており、開口３１ａの径は氷ストッカー３１の内径の１／２とされている。
外郭は上部外装カバー３２と下部外装カバー３３とからなり、上部外装カバー３２の上端中央にはテーパ形状の投入口３２ａが設けられ、投入口蓋３４によって覆われている。【００５０】
また、氷削室２３のテーパ面２３ｂにはスリット２３ｃが傾斜方向に延在するように開けられており、スリット２３ｃには、切削刃３０がスリット２３ｃから僅かに氷削室２３内部側に突出するように氷削室２３にねじ止めされている。また、スリット２３ｃには氷出口カバー２３ｄがテーパ面２３ｂに対して垂直方向に突出して設けられている。【００５１】
次に、この氷削機の作用効果について説明する。
まず、投入口蓋３４を開け、キュービック状の氷を氷ストッカー３１内に投入して貯留する。そして、投入口蓋３４を閉め、モータ２５を駆動させ、回転翼２７を回転ホッパー２８とともに回転させる。これにより、回転ホッパー２８内の氷は遠心力によって切削刃３０に押し当てられながら切削され、氷出口カバー２３ｄから切削氷粉末が放出される。回転ホッパー２８の第１テーパ部２８ａは上方に向かって小径とされているため、第１テーパ部２８ａとともに連れ回る氷は第１テーパ部２３ｂの内壁に遠心力で押し付けられて下向きの力を受ける。このため、切削刃３０によって削られた分だけ第１テーパ部２８ｂ内の氷が下方に下がり、回転ホッパー２８内に投入された氷の全てが切削される。【００５２】
一方、回転ホッパー２８の第２テーパ部２８ｂは上方に向かって大径とされているため、第２テーパ部２８ｂ内の氷は遠心力によって第２テーパ部２８ｂの内側面に押し当てられて上向きの力を受け、第2テーパ部２８ｂの斜面を登ることとなる。【００５３】
すなわち、回転ホッパー２８を回転させた場合、第1テーパ部２８ａ内の氷は下方へ移動し、第2テーパ部２８ｂ内の氷は上方へ移動することとなり、互いに上下に分離するために、第１テーパ部２８ａ内の氷と、第２テーパ部２８ｂ内の氷との干渉が避けられる。しかも、回転ホッパー２８は回転翼２７と同軸で回転するため、第1テーパ部２８ａ内の氷及び第2テーパ部２８ｂ内の氷は回転ホッパー２８と共に連れ回る。このため、第1テーパ部２８ａ内の氷及び第2テーパ部２８ｂ内のぶつかり合いが防止され、騒音の発生が低減される。さらには、氷ストッカー３１内部の氷も第2テーパ部２８ｂ内の氷の回転とともに、氷ストッカー３１内側面を滑りながら連れ回るため、大きな騒音を発することがない。
したがって、本発明の氷削機は極めて低騒音型の氷削機となる。【００５４】
また、回転ホッパー２８の上方には氷ストッカー３１が設けられているため、多量の氷を貯留することができる。しかも、第１テーパ部２８ａ内の氷が切削されつくして無くなった場合、モータ２５の駆動を停止して回転ホッパー２８の回転を止めれば、第2テーパ部２８ｂ内の氷は遠心力を失い、下方に落下して第1テーパ部２８ａ内に自動的に供給される。さらには、氷ストッカー３１内に貯留されていた氷が第２テーパ部２８ｂ内に自動的に供給される。
このため、この氷削機によれば多量の切削氷粉末を手間をかけずに製造が可能で、騒音も小さくなる。【００５５】
また、氷ストッカー３１の上端の開口３１ａの径が氷ストッカー３１の内径の１／２と小さくされているため、氷ストッカー３１内の貯留されている氷が回転時に開口３１ａから外部に飛び出し難い。
さらには、第１テーパ部２８ａと第２テーパ部２８ｂの接合部分に、径が絞られた小径穴２８ｃが形成されているため、回転ホッパー２８の回転速度が遅くて第１テーパ部２８ａ内と第２テーパ部２８ｂ部内にドーナツ状に分布する氷におけるドーナツの半径が小さくなっても、小径穴２８ｃの径よりも大きければ、第1テーパ部内の氷と、第2テーパ部２８ｂ内の氷とを上下に分離することができ、騒音がより発生し難くくなる。【００５６】
なお、氷ストッカー３１及び上部外装カバー３２を内部観察が可能な透明なプラスチック製とすることもできる。こうであれば、氷ストッカー３１内部の氷の貯留量を外部から視認することができて、便利である。【００５７】
また、氷ストッカー３１と、上部外装カバー３２や下部外装カバー３３との間に、防音材を設けることも好ましい。こうであれば、騒音をさらに軽減することができる。【００５８】
（実施例３）
実施例３の氷削機は、図３に示すように第２テーパ部３８ｂが径内方向に向かって凸とされている。その他の構成は図２に示す実施例１の氷削機と同様であり、同一の構成については同一の符号を付して詳細な説明を省略する。このような氷削機であっても、実施例１と同様の作用効果を奏することができる。【００５９】
（実施例４）
実施例３の氷削機は、図４に示すように第２テーパ部４８ｂが径外方向に向かって凸とされている。その他の構成は図２に示す実施例１の氷削機と同様であり、同一の構成については同一の符号を付して詳細な説明を省略する。このような氷削機であっても、実施例１と同様の作用効果を奏することができる。【００６０】
なお、第１テーパ部についても、実施例２や実施例３における第２テーパ部と同様に、径内方向や径外方向に向かって凸とすることも可能である。【００６１】
この発明は、上記発明の実施例の説明に何ら限定されるものではない。特許請求の範囲の記載を逸脱せず、当業者が容易に想到できる範囲で種々の変形態様もこの発明に含まれる。
【産業上の利用可能性】
【００６２】
第1発明及び第2発明の氷削機は切削氷粉末やソフトアイス飲料の製造に用いることができる。
【図１】
2008004355.tif 000003
【図２】
2008004355.tif 000004
【図３】
2008004355.tif 000005
【図４】
2008004355.tif 000006
【図５】
2008004355.tif 000007
【図６】
2008004355.tif 000008
【手続補正書】
【提出日】平成19年8月1日(2007.8.1)
【手続補正１】
【補正対象書類名】明細書
【補正対象項目名】符号の説明
【補正方法】変更
【補正の内容】
【符号の説明】
【００３４】
１０…切削刃
４ｃ…スリット
４氷削室
８…回転翼
６、７…モータ機構（６…モータ、７…減速機）
９…回転ホッパー
１１…氷ストッカー（回転氷ストッカー）
１２ａ…開口
１１ｂ…凸部
２…防振部材（スプリング）
３０…切削刃
２３ｃ…スリット
２３氷削室
２７…回転翼
２５、２６…モータ機構（２５…モータ、２６…減速機）
２８…回転ホッパー
３１…氷ストッカー
３１ａ…開口
２８ａ…第１テーパ部
２８ｂ、３８ｂ、４８ｂ…第２テーパ部
２８ｃ…小径穴
【国際調査報告】
2008004355.tif 000009
2008004355.tif 000010
2008004355.tif 000011